(57)【要約】【課題】携帯端末を持った手の指で、携帯端末を操作することができる携帯端末保持用カバーを提供する。【解決手段】カバー体１と嵌合体２とを弾性材にて一体に形成する。本体Ｐの裏面Ｐ２をカバー体１が被覆する。本体Ｐの周囲縁に嵌合体２が嵌合する。カバー体１に、本体Ｐの左右側縁部Ｐ３に近接する指先差込口１Ａを形成する。指先差込口１Ａ内に差し込んだ指先をカバー体１で押圧保持するように構成する。カバー体１が左右側縁部Ｐ３の近接位置で指先を押圧保持する位置に指先差込口１Ａを形成する。【選択図】図１
0003207636.tif 000002
【実用新案登録請求の範囲】
【請求項１】
表面にタッチパネル方式の表示部を有する携帯端末本体の裏面側に装着する携帯端末用のカバーであって、本体の裏面表面を被覆するカバー体と、本体の周囲縁に嵌合する嵌合体とが弾性材にて一体に形成され、カバー体の左右に本体の左右側縁部に近接する指先差込口を形成すると共に、該指先差込口の内側に差し込んだ指先をカバー体の弾性力で押圧保持するように構成したことを特徴とする携帯端末保持用カバー。
【請求項２】
カバー体において、前記指先差込口の位置は、使用者の指の第１関節位置を前記本体の左右側縁部に合わせたときに、前記指先差込口内に挿入した指の爪先から爪全体までを前記カバー体にて押圧保持する範囲内で設定された請求項１記載の携帯端末保持用カバー。
【請求項３】
前記カバー体において、前記指先差込口に隣接する傾斜面を備えた導入部を形成し、該導入部から前記指先差込口に指先を挿入するように構成した請求項１または２記載の携帯端末保持用カバー。
【請求項４】
前記嵌合体は、前記本体の角部に係合する固定部と、前記本体の左右側縁部及び上下側縁部の直線部分から前記本体の表面の一部を覆う被覆部とを備え、該被覆部は前記本体の左右側縁部又は上下側縁部に設けられている操作ボタン、イヤホンジャック、スピーカー、マイク、センサー、microUSB接続端子、カメラのいずれかに被覆部が重なるときに、該被覆部の重なる位置に開口部ａ又は切欠部を形成する請求項１記載の携帯端末保持用カバー。
【考案の詳細な説明】
【技術分野】
【０００１】
本考案は、スマートフォンやタブレット等のタッチパネル方式の表示画面を備えた携帯端末に装着して携帯端末の操作性を高める携帯端末保持用カバーに関する。
【背景技術】
【０００２】
スマートフォンやタブレットなど、タッチパネル方式の表示画面を備えた携帯端末に装着するカバーとして、例えば特許文献１に記載の携帯機器用保持具や、特許文献２に記載の携帯端末機用カバーなどが提案されている。
【０００３】
これらのカバーは、いずれもスマートフォンの裏側を被覆するカバー面を弾性体にて形成し、該カバー面に指先差込口を形成したものである。これらの指先差込口は、いずれもカバー面の中央部に向けて大きく開口した形状であった。
【０００４】
すなわち、特許文献１に記載の指先差込口の形状は、互いに対向する側に膨らむ円弧形を成しており、特許文献２に記載の指先差込口はＸ形の保持部に沿った形状を成すものである。
【先行技術文献】
【特許文献】
【０００５】
【特許文献１】特開２０１４‐１７９８３５号公報
【特許文献２】実用新案登録第３１７９６１４号公報
【考案の概要】
【考案が解決しようとする課題】
【０００６】
これら従来のカバーによると、指先差込口に差し込んだ指は本体の裏面中央部分に固定されることになる。そのため、小さな手で大型画面のスマートフォンを操作する場合に、固定された裏面中央部から表面に指を伸ばすことになるので、指の操作範囲が制限されることになる。
【０００７】
すなわち、大きな手であれば、裏面中央部分で支持しながら本体の表面を操作するのに支障はないとしても、小さな手を裏面中央部分で支持すると、表面で操作可能な範囲が限られる不都合が生じてしまう。したがって、小さな手をカバーで保持しながら、操作可能な範囲を制限しないようにするには、本体の裏面中央ではなく、できるだけ本体の左右側縁部に近い部分で保持する必要がある。
【０００８】
そこで本考案は上述の課題を解消すべく案出されたもので、携帯端末を持った手の指で操作する際の操作性を著しく向上させることができる携帯端末保持用カバーの提供を目的とするものである。
【課題を解決するための手段】
【０００９】
上述の目的を達成すべく本考案における第１の手段は、表面Ｐ１にタッチパネル方式の表示部を有する携帯端末本体Ｐの裏面Ｐ２側に装着する携帯端末用のカバーであって、本体Ｐの裏面Ｐ２全面を被覆するカバー体１と、本体Ｐの周囲縁に嵌合する嵌合体２とが弾性材にて一体に形成され、カバー体１の左右に本体Ｐの左右側縁部Ｐ３に近接する指先差込口１Ａを形成すると共に、該指先差込口１Ａの内側に差し込んだ指先をカバー体１の弾性力で押圧保持するように構成したことにある。
【００１０】
第２の手段において、前記指先差込口１Ａの位置は、使用者の指の第１関節位置を前記本体Ｐの左右側縁部Ｐ３に合わせたときに、前記指先差込口１Ａ内に挿入した指の爪先から爪全体までを前記カバー体１にて押圧保持する範囲内で設定されたものである。
【００１１】
第３の手段は、前記カバー体１において、前記指先差込口１Ａに隣接する傾斜面を備えた導入部１Ｂを形成し、該導入部１Ｂから前記指先差込口１Ａに指先を挿入するように構成したものである。
【００１２】
第４の手段において、前記嵌合体２は、前記本体Ｐの角部Ｐ５に係合する固定部２Ａと、前記本体Ｐの左右側縁部Ｐ３及び上下側縁部Ｐ４の直線部分から前記本体Ｐの表面Ｐ１の一部を覆う被覆部２Ｂとを備え、該被覆部２Ｂは前記本体Ｐの左右側縁部Ｐ３又は上下側縁部Ｐ４に設けられている操作ボタンＰ６、イヤホンジャック、スピーカー、マイク、センサー、microUSB接続端子、カメラＰ７のいずれかに被覆部２Ｂが重なるときに、該被覆部２Ｂの重なる位置に開口部２Ｂａ又は切欠部を形成することにある。
【考案の効果】
【００１３】
本考案の請求項１に記載のごとく、カバー体１の左右に、本体Ｐの左右側縁部Ｐ３に近接する指先差込口１Ａを形成し、本体Ｐの左右側縁部Ｐ３のいずれか一方側から指先差込口１Ａの内側に差し込んだ指先をカバー体１の弾性力で押圧保持するように構成したことで、指先が携帯端本体１０の左右側縁部Ｐ３の近傍にあっても、カバー体２の弾性力で押圧することができる。この結果、スマートフォン等の携帯端末操作時に、携帯端末を持ち易くすることが可能になり、携帯端末を持った手で操作する際の操作性を向上させることができる。
【００１４】
しかも、カバー体１と嵌合体２とが弾性材にて一体に形成されているので、本体Ｐの周囲縁に嵌合する嵌合する嵌合体２と、本体Ｐの裏面Ｐ２全面を被覆するカバー体１とが一体になって本体Ｐへの固定状態を維持することができる。この結果、指先差込口１Ａに指を挿入した際に嵌合体２の一部に大きな負荷がかかっても、この嵌合体２と裏面Ｐ２全面を被覆するカバー体１との弾性力が一体になって本体Ｐから嵌合体２が外れるのを防止し、安定した使用が可能になる。また、指先差込口１Ａを使用しないときは、本体Ｐの裏面Ｐ２全面を被覆する通常のカバーとして使用することができる。
【００１５】
請求項２のごとく、指先差込口１Ａの位置は、本体Ｐの左右側縁部Ｐ３に使用者の指の第１関節位置を合わせたときに、指先差込口１Ａ内に挿入した指の爪先から爪全体までをカバー体１にて押圧保持する範囲に設定されているので、操作時に、携帯端本体１０の左右側縁部Ｐ３の近傍にある爪の一部や全体をカバー体１が押圧保持することで、操作性が向上する。この結果、たとえ手指の小さい使用者でも大型画面の本体Ｐを容易に操作することが可能になる。
【００１６】
請求項３のように、前記カバー体１において、前記指先差込口１Ａに隣接する傾斜面を備えた導入部１Ｂを形成し、該導入部１Ｂから前記指先差込口１Ａに指先を挿入するように構成したことで、指先差込口１Ａ内に指先を簡単に挿入することができる。したがって、指先の移動のみで簡単に指先差込口１Ａ内に差し込むことができるので、使用者は、本体Ｐの使用中でも極めて簡単に指先差込口１Ａを利用することができる。
【００１７】
請求項４のように、嵌合体２は、本体Ｐの角部Ｐ５に係合する固定部２Ａと、本体Ｐの左右側縁部Ｐ３及び上下側縁部Ｐ４の直線部分から本体Ｐの表面Ｐ１にかけて覆う被覆部２Ｂとを備え、該被覆部２Ｂは本体Ｐの左右側縁部Ｐ３又は上下側縁部Ｐ４に設けられている操作ボタンＰ６、イヤホンジャック、スピーカー、マイク、センサー、microUSB接続端子、カメラＰ７のいずれかに被覆部２Ｂが重なるときに、該被覆部２Ｂの重なる位置に開口部２Ｂａ又は切欠部を形成することで、携帯端末の機能や操作性を損なわずに使用することができる。
【図面の簡単な説明】
【００１８】
【図１】本考案の一実施例を示す分解斜視図である。
【図２】本考案の使用状態を示す背面図である。
【図３】本考案の一実施例を示す正面図である。
【考案を実施するための形態】
【００１９】
本考案は、スマートフォンやタブレット等のタッチパネル方式の表示画面を備えた携帯端末の本体Ｐ裏側に装着するもので、本体Ｐを持ち易くするカバーである。本考案の基本構成は、本体Ｐの裏面Ｐ２を被覆するカバー体１と、本体Ｐの周囲縁に嵌合する嵌合体２とが弾性材にて一体に形成された構成である（図１参照）。
【００２０】
この弾性材は、例えば、シリコンゴム、ウレタンゴム等の各種ゴム材や、ＴＰＵ等の軟質合成樹脂材等を含む。また、ゴム材等を編み込んだ布状物で形成することも可能であり、指先を押圧保持する性質のある任意の弾性材を自由に選択することができる。
【００２１】
カバー体１には、本体Ｐの左右側縁部Ｐ３に近接する指先差込口１Ａを形成している（図２参照）。そして、本体Ｐの左右側縁部Ｐ３のいずれか一方側から指先差込口１Ａの内側に差し込んだ指先をカバー体１の弾性力で押圧保持するように構成したものである。
【００２２】
このとき、カバー体１の指先差込口１Ａは、カバー体１が本体Ｐの左右側縁部Ｐ３の近接位置で指先を押圧保持する位置に形成されている。指先差込口１Ａの位置をより具体的に示すと、本体Ｐの左右側縁部Ｐ３に使用者の指の第１関節位置を合わせて指先差込口１Ａ内に指先を挿入したときに、カバー体１が爪先等の爪の一部又は爪全体を押圧保持する位置に形成する。
【００２３】
すなわち、スマートフォン等の携帯端末では、本体Ｐを持った手で表示画面をタッチ操作する場合がある。この場合、操作位置に応じて本体Ｐの裏面を保持する指先の位置を変えることがある。そのため、携帯端末を持つ指先を本体Ｐの左右側縁部Ｐ３に近づいた位置に変更しても、指の爪先から爪全体までの範囲で常にカバー体１０の弾性力で押圧保持できるように構成していると、本体Ｐの操作性を著しく向上させることができる。
【００２４】
指先差込口１Ａの長さや幅は任意の長さが選択される。例えば、本体Ｐの下半分に指先差込口１Ａを形成することも可能である。また、図示の指先差込口１Ａは、線状を成しているが、指先差込口１Ａの幅を任意に広くすることも可能である。更に、直線状の指先差込口１Ａの他、波線状の指先差込口１Ａを形成するなどの変更も可能である。要するに、指先差込口１Ａの内側に差し込んだ指先をカバー体１の弾性力で押圧保持するように構成したものであればよい。
【００２５】
尚、使用者により、指の第１関節位置や爪のサイズは異なるものであるが、例えば、男性用と女性用とで指先差込口１Ａの位置を変える場合に、想定した使用者の平均サイズに合わせることができる。また、予め小さい手指のサイズを基準にして指先差込口１Ａの位置を設定することも可能である。
【００２６】
更に、指先差込口１Ａに沿って導入部１Ｂを形成している（図２参照）。この導入部１Ｂは、指先差込口１Ａに向けて傾斜する傾斜面を形成したもので、指先を指先差込口１Ａに挿入し易くしている。図示の導入部１Ｂは、矩形状を成しているが、この他、扇状の導入部１Ｂを形成することも可能である。また、導入部１Ｂの形成位置も図示例に限定されず、指先差込口１Ａより内側のカバー体１にまで延長するなど任意に変更できる。
【００２７】
嵌合体２は、固定部２Ａと被覆部２Ｂとを備えている（図１参照）。固定部２Ａは、本体Ｐの角部Ｐ５に係合する部位で、カバー体１や被覆部２Ｂと連続して本考案カバーを固定する。
【００２８】
一方、被覆部２Ｂは、本体Ｐの左右側縁部Ｐ３及び上下側縁部Ｐ４の直線部分から前記本体Ｐの表面Ｐ１にかけて覆う部位である（図３参照）。そして、この被覆部２Ｂが、本体Ｐの左右側縁部Ｐ３又は上下側縁部Ｐ４に設けられている操作ボタンＰ６、イヤホンジャック、スピーカー、マイク、センサー、microUSB接続端子、カメラＰ７に被覆部が重なるときに、該被覆部２Ｂの重なる位置に開口部２Ｃ又は切欠部を形成する（図１参照）。図示例では、カメラＰ７に重なるカバー体１にも開口部１Ｃを形成している。
【００２９】
尚、本考案の構成は、図示例に限定されるものではなく、本考案の要旨を変更しない範囲での設計変更は自由に行えるものである。
【符号の説明】
【００３０】
Ｐ  本体
Ｐ１  表面
Ｐ２  裏面
Ｐ３  左右側縁部
Ｐ４  上下側縁部
Ｐ５  角部
Ｐ６  操作ボタン
Ｐ７  カメラ
１  カバー体
１Ａ  指先差込口
１Ｂ  導入部
１Ｃ  開口部
２  嵌合体
２Ａ  固定部
２Ｂ  被覆部
２Ｃ  開口部
【図１】
0003207636.tif 000003
【図２】
0003207636.tif 000004
【図３】
0003207636.tif 000005